(57)【要約】【課題】給紙棚に関する複数の設定を簡易な操作で行うことができる丁合機のためのインターフェイス装置及びそれを備えた丁合機並びに丁合機のための制御プログラムを提供すること。【解決手段】複数の給紙棚のそれぞれから給紙された折込チラシを丁合して丁合束を生成する丁合機のためのインターフェイス装置は、ユーザによる複数の給紙棚のうちの１つの給紙棚の選択の操作を受けて、選択された１つの給紙棚に関連する複数の機能であってそれぞれ個別の設定画面において設定がされ得る複数の機能の設定と１つの給紙棚の設定とをするための各段調整編集画面を表示素子に表示させることと、各段調整編集画面におけるユーザの操作に応じて、複数の機能の設定をすることとを行うように構成された制御回路を備える。【選択図】図１３
2020019656.tif 000002
【特許請求の範囲】
【請求項１】
複数の給紙棚のそれぞれから給紙された折込チラシを丁合して丁合束を生成する丁合機のためのインターフェイス装置であって、
ユーザによる複数の前記給紙棚のうちの１つの給紙棚の選択の操作を受けて、選択された前記１つの給紙棚に関連する複数の機能であってそれぞれ個別の設定画面において設定がされ得る複数の機能の設定と前記１つの給紙棚の設定とをするための各段調整編集画面を表示素子に表示させることと、前記各段調整編集画面における前記ユーザの操作に応じて、複数の前記機能の設定をすることとを行うように構成された制御回路を具備する丁合機のためのインターフェイス装置。
【請求項２】
前記制御回路は、前記各段調整編集画面において、前記個別の設定画面と同等の表示をするための表示部及び同等の設定をするためのボタンを設ける請求項１に記載の丁合機のためのインターフェイス装置。
【請求項３】
前記制御回路は、前記各段調整編集画面において、前記個別の設定画面と異なる表示をするための表示部及び異なる設定をするためのボタンをさらに設ける請求項２に記載の丁合機のためのインターフェイス装置。
【請求項４】
前記制御回路は、前記各段調整編集画面における前記ユーザの操作に応じて設定のためのダイアログを表示させることと、前記ダイアログにおける前記ユーザの操作に応じて前記機能を設定する請求項１乃至３の何れか１項に記載の丁合機のためのインターフェイス装置。
【請求項５】
前記ユーザによる操作は、タッチパネルによって行われる請求項１乃至４の何れか１項に記載の丁合機のためのインターフェイス装置。
【請求項６】
請求項１乃至５の何れか１項に記載の丁合機のためのインターフェイス装置と、
前記インターフェイス装置でされた設定に従って、複数の給紙棚から給紙された折込チラシを丁合する丁合機構と、
を具備する丁合機。
【請求項７】
複数の給紙棚のそれぞれから給紙された折込チラシを丁合して丁合束を生成する丁合機のための制御プログラムであって、
ユーザによる複数の前記給紙棚のうちの１つの給紙棚の選択の操作を受けて、選択された前記１つの給紙棚に関連する複数の機能であってそれぞれ個別の設定画面において設定がされ得る複数の機能の設定と前記１つの給紙棚の設定とをするための各段調整編集画面を表示素子に表示させることと、
前記各段調整編集画面における前記ユーザの操作に応じて、複数の前記機能の設定をすることと、
をコンピュータに実行させるための丁合機のための制御プログラム。
【発明の詳細な説明】
【技術分野】
【０００１】
本発明は、丁合機のためのインターフェイス装置及びそれを備えた丁合機並びに丁合機のための制御プログラムに関する。
【背景技術】
【０００２】
丁合機は、複数の種類の異なる紙を重ね合わせて紙束を形成する装置である。このような丁合機は、例えば新聞の間に挟む折込チラシの丁合に用いられている。丁合機は、例えば鉛直方向に並べられた複数段の給紙棚を備えている。それぞれの給紙棚には折込チラシが載せられる。丁合機は、それぞれの給紙棚から給紙された折込チラシを１枚ずつ重ねて折込チラシの束を生成し、生成した束を所定の場所まで搬送するように構成されている。搬送された折込チラシの束は、必要に応じて、折り紙と呼ばれるカバー紙にくるまれた後、新聞紙の間に挟み込まれる。
【０００３】
このような丁合機に関し、特許文献１等において提案されている丁合機は、タッチパネル付きのモニタを備えている。丁合機のユーザは、タッチパネル付きのモニタにより、丁合機の作業状況及び異常状態を監視したり、丁合機の各種の機能についての設定をしたりすることができる。
【先行技術文献】
【特許文献】
【０００４】
【特許文献１】特開２００５−３３００９７号公報
【発明の概要】
【発明が解決しようとする課題】
【０００５】
従来のモニタ付きの丁合機では、機能毎に専用の設定画面が用意されており、個々の設定画面内で対応する機能の設定が行われる。例えば、丁合機は、それぞれの給紙棚と給紙棚に載せられる折込チラシとを関連付ける機能を有している。このような折込チラシの設定をするのに際し、従来では、ユーザは、まず、折込チラシの設定画面を表示させる操作をし、設定画面上で給紙棚を選択する操作をし、選択した給紙棚について折込チラシを関連付ける操作をする。また、丁合機は、区域設定と呼ばれる機能を有している。折込チラシは様々な地域に配送され得るものであるが、必要なチラシは地域毎に異なっていることがある。区域設定は、丁合するチラシと丁合しないチラシとを、折込チラシが配送される区域毎に設定する機能である。このような区域設定をするのに際し、従来では、ユーザは、まず、区域設定画面を表示させる操作をし、設定画面上で区域を選択する操作をし、選択した区域について丁合する折込チラシを設定する操作をする。
【０００６】
このように機能毎に専用の設定画面が用意されている場合、１つの給紙棚について複数の機能を設定する場合には、ユーザは複数の設定画面の間を遷移させながら設定をすることになる。したがって、操作は煩雑になり易い。丁合機における設定では、給紙棚についての設定が多いので操作の煩雑化はより顕著に表れる。
【０００７】
本発明は、前記の事情に鑑みてなされたものであり、給紙棚に関する複数の設定を簡易な操作で行うことができる丁合機のためのインターフェイス装置及びそれを備えた丁合機並びに丁合機のための制御プログラムを提供することを目的とする。
【課題を解決するための手段】
【０００８】
前記の目的を達成するために、本発明の第１の態様の丁合機のためのインターフェイス装置は、複数の給紙棚のそれぞれから給紙された折込チラシを丁合して丁合束を生成する丁合機のためのインターフェイス装置であって、ユーザによる複数の前記給紙棚のうちの１つの給紙棚の選択の操作を受けて、選択された前記１つの給紙棚に関連する複数の機能であってそれぞれ個別の設定画面において設定がされ得る複数の機能の設定と前記１つの給紙棚の設定とをするための各段調整編集画面を表示素子に表示させることと、前記各段調整編集画面における前記ユーザの操作に応じて、複数の前記機能の設定をすることとを行うように構成された制御回路を具備する。
【０００９】
前記の目的を達成するために、本発明の第２の態様の丁合機は、第１の態様に記載の丁合機のためのインターフェイス装置と、前記インターフェイス装置でされた設定に従って、複数の給紙棚から給紙された折込チラシを丁合する丁合機構とを具備する。
【００１０】
前記の目的を達成するために、本発明の第３の態様の丁合機のための制御プログラムは、複数の給紙棚のそれぞれから給紙された折込チラシを丁合して丁合束を生成する丁合機のための制御プログラムであって、ユーザによる複数の前記給紙棚のうちの１つの給紙棚の選択の操作を受けて、選択された前記１つの給紙棚に関連する複数の機能であってそれぞれ個別の設定画面において設定がされ得る複数の機能の設定と前記１つの給紙棚の設定とをするための各段調整編集画面を表示素子に表示させることと、前記各段調整編集画面における前記ユーザの操作に応じて、複数の前記機能の設定をすることとをコンピュータに実行させる。
【発明の効果】
【００１１】
本発明によれば、給紙棚に関する複数の設定を簡易な操作で行うことができる丁合機のためのインターフェイス装置及びそれを備えた丁合機並びに丁合機のための制御プログラムを提供することができる。
【図面の簡単な説明】
【００１２】
【図１】図１は、本発明の一実施形態に係る丁合機の外観を示す概略斜視図である。
【図２】図２は、丁合機構を示す概略図である。
【図３】図３は、丁合束の一例を示す外観斜視図である。
【図４】図４は、丁合機の構成を示すブロック図である。
【図５】図５は、本発明の一実施形態において表示素子に表示され得る画面の遷移を示す図である。
【図６】図６は、丁合機のメインの動作の一例を示すフローチャートである。
【図７】図７は、カウンタ画面の例を示す図である。
【図８】図８は、設定系処理の一例を示すフローチャートである。
【図９】図９は、区域設定画面の例を示す図である。
【図１０】図１０は、チラシ設定画面の例を示す図である。
【図１１】図１１は、チラシ設定編集画面の例を示す図である。
【図１２】図１２は、各段調整画面の例を示す図である。
【図１３】図１３は、各段調整編集画面の例を示す図である。
【発明を実施するための形態】
【００１３】
以下、本発明を実施するための形態について図面を参照して説明する。図１は、本発明の一実施形態に係る丁合機１００の外観を示す概略斜視図である。以下の説明では、丁合機１００における後述する丁合束の排出方向が丁合機１００の前方であるとする。図１に示すＹ方向は、丁合機１００の前後方向に沿っている。Ｙ方向の正方向は、前方向である。図１に示すＸ方向は、丁合機１００を前方から見たときの左右方向となる方向である。Ｘ方向の正方向は、右方向である。図１に示すＺ方向は、丁合機１００を前方から見たときの上下方向となる方向である。Ｚ方向の正方向は、上方向である。Ｘ方向、Ｙ方向、Ｚ方向は、図２、図３においても同様に設定されているものとする。
【００１４】
丁合機１００は、丁合機構１０を有する。丁合機１００は、新聞紙供給機構（インサータ）、昇降機構（リフター）といった各種機構と組み合わせて用いられてもよい。
【００１５】
丁合機構１０は、複数の給紙棚を有している。丁合機構１０は、入止設定等に従って給紙棚から給紙された折込チラシを重ね合わせて排出する機構である。以下、丁合機構１０についてさらに説明する。図２は、丁合機構１０を示す概略図である。
【００１６】
丁合機構１０は、Ｚ方向に長い略直方体形状の筐体１を有する。筐体１のＹ方向に沿った前面側（図示左側）及び背面側（図示右側）には、Ｚ方向に並んだ複数段の給紙棚２が設けられている。以下、前面側の段の給紙棚２を前段の給紙棚２、背面側の給紙棚２を後段の給紙棚２と言う。それぞれの給紙棚２は、筐体１の内側下方に向けて傾斜するように取り付けられている。それぞれの給紙棚２には、複数枚の折込チラシが重ねて投入される。全ての給紙棚に異なる種類の折込チラシが投入されてもよいし、複数の給紙棚に同じ種類の折込チラシが投入されてもよい。ただし、本実施形態では、筐体１の前方側の最下段にある給紙棚２ａは、折り紙を投入するための給紙棚である折段として割り当てられている。ここで、折込チラシが載せられる給紙棚には番号がつけられている。この給紙棚の番号と投入される折込チラシの種類とは後で説明するチラシ設定画面等において対応付けされる。
【００１７】
筐体１の中には、筐体１の中心を通ってＺ方向に延びた搬送パス３が設けられている。搬送パス３は、前段の給紙棚２と後段の給紙棚２の間でＸＺ平面に沿って設けられている。つまり、それぞれの給紙棚２から所定のタイミングで取り出された折込チラシは搬送パス３へ送り込まれて互いに重ねられる。そして、重なった状態の複数枚の折込チラシは搬送パス３を介して下方へ搬送される。搬送パス３には、複数組の搬送ローラ対４が設けられている。搬送ローラ対４は、重なった状態の複数枚の折込チラシを挟持しつつ搬送する。
【００１８】
それぞれの給紙棚２の傾斜方向の下端側、すなわち搬送パス３に近い中心寄りの端部には、それぞれ、第１給紙ローラ５及び第２給紙ローラ６が設けられている。第１給紙ローラ５は、給紙棚２から搬送された複数枚の折込チラシのうちの最上端の折込チラシに接触するように配置されている。第２給紙ローラ６は、第１給紙ローラ５よりも折込チラシの給紙方向の下流側に設けられている。さらに、第２給紙ローラ６よりも折込チラシの取り出し方向の下流側には、送りローラ対８が設けられている。
【００１９】
第１給紙ローラ５は、給紙棚２の上に投入された複数枚の折込チラシのうちの最上端の折込チラシに接触して回転し、最上端の折込チラシを送りローラ対８まで送り込む。第２給紙ローラ６は、捌き板７に２枚目以降の折込チラシの先端を押し付けることで２枚目以降の折込チラシが送りローラ対まで送り込まれることを防止する。つまり、給紙棚２から給紙された折込チラシは、１枚ずつ、送りローラ対８に送り込まれる。送りローラ対８は、搬送パス３へ折込チラシを送り込む。
【００２０】
搬送パス３の下端には、折りローラ対９が配置されている。折りローラ対９は、そのニップが搬送パス３の延長線上に位置する姿勢で設けられている。この構成により、搬送パス３を介して下方へ搬送された複数枚の折込チラシは、折りローラ対９のニップへ送り込まれる。
【００２１】
折り紙を給紙するための給紙棚２ａの給紙方向の下流側（図示右側）には、送りローラ対８ａが設けられている。送りローラ対８ａは、給紙棚２ａから投入された折り紙を折りローラ対９の上方へ送り込む。また、給紙棚２ａの給紙方向の先端には、係止部１１が設けられている。係止部１１は、折り紙の給紙方向の中央位置が折りローラ対９のニップに対向する位置で折り紙を停止させる。折りローラ対９の斜め上方には、折込ナイフ１２が配置されている。折込ナイフ１２は、折りローラ対９のニップに向けて折り紙の中央部を押し込む。
【００２２】
このような構成により、それぞれの給紙棚２から投入された折込チラシは、搬送パス３で重ねられて折りローラ対９のニップへ送り込まれる。この時点で予め給紙された折り紙の中央は、折込ナイフ１２によって折り込まれている。そして、重なった状態で搬送パス３を介して搬送された複数枚の折込チラシは、折り紙の中央に押し込まれ、折りローラ対９の回転によって折り紙の間に挟み込まれる。折りローラ対９を通過して２つ折りにされた折込チラシの束、すなわち折り紙の間に複数枚の折込チラシを挟んで構成される丁合束は、搬送ベルト１３へ受け渡されて排出ローラ対１４を介して筐体１の前面側に設けられた排出口１５から排出される。このようにして丁合束が生成される。
【００２３】
図３は、丁合機構１０の排出口１５から排出された丁合束Ｔの一例を示す外観斜視図である。丁合束Ｔは、排出方向（Ｙ方向）の先端Ｔ−１側が折り紙Ｓによって覆われた状態で排出される。本実施形態では、折り紙Ｓの排出方向に沿った一端Ｓ−１（排出方向から見た右端部）が複数枚の折込チラシｔの端部ｔ−１と略揃った状態の丁合束Ｔが排出されるように、折り紙ＳのＸ方向に沿った給紙位置は調整される。
【００２４】
さらに、丁合機構１０の筐体１には、インターフェイス装置としての操作パネル１ａが設けられている。操作パネル１ａは、例えば表示素子を備えたタッチパネルである。ユーザは、操作パネル１ａを操作して丁合機１００に関する設定を行う。
【００２５】
図４は、丁合機１００の構成を示すブロック図である。図４において、図１と重複する構成については図１と同一の参照符号を付している。図１と同一の参照符号を付した構成については説明を省略又は簡略化する。
【００２６】
丁合機１００は、前述した丁合機構１０に加えて、制御回路２０及びメモリ３０を有している。制御回路２０及びメモリ３０は、例えば筐体１の内部に設けられている。制御回路２０及びメモリ３０は、筐体１とは別に設けられていてもよい。例えば、制御回路２０及びメモリ３０は、操作パネル１ａの内部に設けられていてもよい。さらに、丁合機１００は、操作スイッチ４０を有している。操作スイッチ４０は、筐体１の外表面等に設けられている。
【００２７】
制御回路２０は、例えばＣＰＵにより構成される。制御回路２０は、メモリ３０に記憶されている制御アプリケーションプログラム（以下、制御アプリケーションと言う）に従って丁合機構１０の動作を制御する。例えば、制御回路２０は、ユーザによる操作パネル１ａの操作による設定に基づいて丁合機構１０の動作を制御する。例えば、制御回路２０は、丁合束として丁合されるべきでない折込チラシが給紙されないように丁合機構１０を制御する。なお、制御回路２０は、必ずしもＣＰＵとして構成される必要はない。制御回路２０は、ＡＳＩＣ等のハードウェアロジック回路として構成されていてもよい。また、制御回路２０は、必ずしも単一のＣＰＵ等で構成されている必要はなく、複数のＣＰＵ等で構成されていてもよい。
【００２８】
メモリ３０は、揮発性メモリ及び不揮発性メモリを有する。メモリ３０は、丁合機１００の動作の制御に必要な制御アプリケーションを実行するためのプログラムを記憶している。また、メモリ３０は、丁合機１００に関する設定に対応した各種のパラメータを記憶している。さらに、メモリ３０は、操作パネル１ａの表示素子に表示させる各種の画面のデータを記憶している。メモリ３０は、複数の揮発性メモリ及び不揮発性メモリによって構成されていてもよい。
【００２９】
操作スイッチ４０は、操作パネル１ａ以外のスイッチ群である。例えば、操作スイッチ４０は、丁合機１００の電源スイッチを含む。また、例えば、操作スイッチ４０は、各種のトグルスイッチを含む。これらのトグルスイッチは、丁合機１００のモードを特定のモードにするためのスイッチである。操作スイッチ４０は、これらのスイッチ以外のスイッチを含んでもよい。
【００３０】
操作パネル１ａは、表示素子１ｂ及びタッチパネル１ｃを有している。表示素子１ｂは、液晶ディスプレイ及び有機ＥＬディスプレイといった表示素子である。表示素子１ｂには、丁合機１００の丁合動作に係る状態を示す丁合動作系画面、丁合機１００の設定に係る設定系画面といった各種の画面が表示される。タッチパネル１ｃは、表示素子１ｂに重なるようにして配置されている。タッチパネル１ｃは、ユーザの指の接触を検知し、その接触位置を示す信号を制御回路２０に伝送する。タッチパネル１ｃとしては、抵抗膜式タッチパネル、静電容量式タッチパネルといった各種のタッチパネルが用いられ得る。タッチパネル１ｃの代わりにマウス及びトラックボールといった各種のポインティングデバイスが用いられてもよい。
【００３１】
図５は、本実施形態において表示素子に表示され得る画面の遷移を示す図である。丁合機１００の電源オンの直後には、起動画面Ｄ１が表示される。起動画面Ｄ１の表示中には起動に必要な各種の起動処理が行われる。
【００３２】
起動処理の完了後、画面は、起動画面Ｄ１から丁合動作系画面Ｄ２に遷移する。丁合動作系画面Ｄ２は、カウンタ画面Ｄ２１を含む。
【００３３】
カウンタ画面Ｄ２１では、ユーザは、丁合機１００の丁合動作を開始させたり、丁合動作に関する各種の状態を確認したりすることができる。カウンタ画面Ｄ２１の表示中には各種の通知がダイアログ表示される。各種の通知は、例えば丁合機１００の丁合動作の完了の通知であったり、エラーの通知であったりする。通知がダイアログ表示で行われることにより、通知専用の画面は必要なくなる。
【００３４】
カウンタ画面Ｄ２１からは、画面は、設定系画面Ｄ３の区域設定画面Ｄ３１と、チラシ設定画面Ｄ３２、各段調整画面Ｄ３３とに遷移し得る。
【００３５】
区域設定画面Ｄ３１では、ユーザは、区域の設定をすることができる。区域は、丁合束が配送され得る配送範囲である。区域の設定がされているとき、丁合機１００は、区域の設定に従って折込チラシを丁合する。区域設定画面Ｄ３１からは、画面は、チラシ設定画面Ｄ３２、各段調整画面Ｄ３３に遷移し得る。
【００３６】
チラシ設定画面Ｄ３２では、ユーザは、折込チラシの設定をすることができる。折込チラシの設定は給紙棚毎に行われ得る。この設定は、折込チラシのチラシ名等の設定を含む。チラシ設定画面Ｄ３２からは、チラシ設定編集画面Ｄ３２１に遷移し得る。チラシ設定編集画面Ｄ３２１では、ユーザは、折込チラシに関する詳細な設定をすることができる。
【００３７】
各段調整画面Ｄ３３では、ユーザは、給紙棚毎の各種の情報を確認したり、給紙棚毎の各種の設定をしたりすることができる。各段調整画面Ｄ３３からは、画面は、各段調整編集画面Ｄ３３１に遷移し得る。各段調整編集画面Ｄ３３１では、ユーザは、給紙棚毎の専用の設定に加えて、前述したチラシ設定と同様の設定もすることができる。つまり、本実施形態では、ユーザは、丁合機１００で設定したい機能を選択してから、選択した機能の設定をしたい給紙棚を選択することができるとともに、機能の設定をしたい給紙棚を選択してから、選択した給紙棚の機能の設定をすることができる。
【００３８】
丁合動作系画面Ｄ２又は設定系画面Ｄ３からは、画面は、トグルスイッチ系画面Ｄ４にも遷移し得る。トグルスイッチ系画面Ｄ４は、操作スイッチの特定のトグルスイッチが操作されたときに遷移する画面である。
【００３９】
以下、本実施形態に係る丁合機１００の動作を説明する。なお、以下では、操作パネル１ａの操作に伴って行われる制御を中心に説明する。図６は、丁合機１００のメインの動作の一例を示すフローチャートである。図６の動作は、制御回路２０によって制御される。
【００４０】
ステップＳ１において、制御回路２０は、操作スイッチ４０の電源スイッチがオンされたか否かを判定する。ステップＳ１において、電源スイッチがオンされていないと判定されている間、制御回路２０は、処理を待機する。ステップＳ１において、電源スイッチがオンされたと判定されたときには、処理はステップＳ２に移行する。
【００４１】
ステップＳ２において、制御回路２０は、丁合機１００の制御アプリケーションを起動し、操作パネル１ａの表示素子１ｂに起動画面Ｄ１を表示させる。起動画面Ｄ１を表示させ、起動処理が完了した後、処理はステップＳ３に移行する。
【００４２】
ステップＳ３において、制御回路２０は、丁合動作系処理を行う。丁合動作系処理の後、処理はステップＳ４に移行する。丁合動作系処理では、ユーザは、カウンタ画面Ｄ２１において、丁合機１００の状態を確認したり、丁合機１００に折込チラシを設定して実際の丁合を開始させたりすることができる。
【００４３】
図７は、カウンタ画面Ｄ２１には、給紙棚毎の情報を表示する給紙棚情報表示部３０１が設けられている。給紙棚情報表示部３０１において、後で説明する折込チラシの設定がされている給紙棚については、対応する折込チラシのチラシ名が表示される。
【００４４】
また、カウンタ画面Ｄ２１には、総数、停止予定総数、実行数、設定数、及び残数といった丁合動作に係る状態を表示するための総数表示部３０２が設けられている。総数は、これまでに丁合された折込チラシの総数である。予定総数は、丁合動作を停止させる折込チラシの総数である。実行数は、給紙棚毎の丁合された折込チラシの枚数である。設定数は、給紙棚毎の丁合動作を停止させる折込チラシの枚数である。残数は、設定数と実行数との差である。
【００４５】
また、カウンタ画面Ｄ２１には、区域表示部３０３が設けられている。区域表示部３０３は、現在の選択中の区域を表示するための部分である。区域表示部３０３がタッチされたときには区域設定画面Ｄ３１に遷移する。
【００４６】
また、カウンタ画面Ｄ２１には、チラシ設定ボタン３０４及び各段調整ボタン３０５が設けられている。これらのボタンがタッチされたとき、制御回路２０は、画面を、タッチされたボタンに対応する画面に遷移させる。
【００４７】
また、カウンタ画面Ｄ２１には、丁合開始ボタン３０６が設けられている。丁合開始ボタン３０６は、ユーザが丁合動作の開始を指示するためのボタンである。丁合開始ボタン３０６がタッチされたとき、制御回路５０は、現在の動作設定に従って丁合動作を開始させる。
【００４８】
また、カウンタ画面Ｄ２１には、終了ボタン３０７が設けられている。終了ボタン３０７は、ユーザが制御アプリケーションの終了を指示するためのボタンである。終了ボタン３０７がタッチされたとき、制御回路５０は、制御アプリケーションを終了させる。制御アプリケーションの終了に伴って丁合機１００の電源もオフされてもよい。
【００４９】
ステップＳ４において、制御回路２０は、設定をするか否かを判定する。丁合動作系処理中に何らかの設定の操作がされたときには、設定をすると判定される。ステップＳ４において、設定をすると判定されたときには、処理はステップＳ５に移行する。ステップＳ４において、設定をしないと判定されたときには、処理はステップＳ６に移行する。
【００５０】
ステップＳ５において、制御回路２０は、設定系処理を行う。設定系処理の後、処理はステップＳ６に移行する。設定系処理は、前述した設定系画面Ｄ３の表示中に行われる処理である。設定系処理の詳細は後で説明する。
【００５１】
ステップＳ６において、制御回路２０は、トグルスイッチ系処理をするか否かを判定する。特定のトグルスイッチがオンされたときには、トグルスイッチ系処理をすると判定される。ステップＳ６において、トグルスイッチ系処理をすると判定されたときには、処理はステップＳ７に移行する。ステップＳ６において、トグルスイッチ系処理をしないと判定されたときには、処理はステップＳ８に移行する。
【００５２】
ステップＳ７において、制御回路２０は、トグルスイッチ系処理を行う。トグルスイッチ系処理の後、処理はステップＳ８に移行する。トグルスイッチ系処理では、ユーザにオンされたスイッチに応じた処理が行われる。
【００５３】
ステップＳ８において、制御回路２０は、丁合機１００の動作を終了するか否かを判定する。例えば、電源スイッチがオフされたときには、丁合機１００の動作を終了すると判定される。ステップＳ８において、丁合機１００の動作を終了しないと判定されたときには、処理はステップＳ３に戻る。ステップＳ８において、丁合機１００の動作を終了すると判定されたときには、制御回路２０は、丁合機１００の電源オフ処理を行う。その後、図６の処理は終了する。
【００５４】
次に、設定系処理について説明する。図８は、設定系処理の一例を示すフローチャートである。ステップＳ１０１において、制御回路２０は、区域設定を行うか否かを判定する。例えばカウンタ画面Ｄ２１において区域表示部３０３のタッチが行われたときに区域設定を行うと判定される。ステップＳ１０１において、区域設定を行うと判定されたときに、処理はステップＳ１０２に移行する。ステップＳ１０１において、区域設定を行わないと判定されたときに、処理はステップＳ１０３に移行する。
【００５５】
ステップＳ１０２において、制御回路２０は、表示素子１ｂに区域設定画面Ｄ３１を表示させる。その後、処理はステップＳ１０６に移行する。前述したように、区域設定画面Ｄ３１では、ユーザは、丁合束が配送され得る区域の情報を設定することができる。区域設定画面Ｄ３１で設定された内容は、例えばメモリ３０に保存される。制御回路２０は、必要なタイミングでメモリ３０から区域設定を読み出す。
【００５６】
図９は、区域設定画面の例を示す図である。区域設定画面Ｄ３１には、地域名表示部４０１が設けられている。地域名表示部４０１は、現在の選択中の地域の地域名を表示する部分である。地域名は、ユーザの操作によって変更され得る。
【００５７】
また、区域設定画面Ｄ３１には、区域情報を表示するための区域情報表示部４０２が設けられている。区域情報は、現在の選択中の地域に属する区域の設定を示す情報である。区域情報表示部４０２には、現在の地域に属する区域の名称及び区域毎の各種の区域設定が表示される。区域の名称及び区域設定は、ユーザの操作によって変更され得る。また、図９は、２種類の区域設定が表示される例であるが、表示される区域設定の数は２種類に限るものではない。
【００５８】
また、区域設定画面Ｄ３１には、やめるボタン４０３、地域選択ボタン４０４、チラシ設定ボタン４０５、各段調整ボタン４０６、及び完了ボタン４０７が設けられている。やめるボタン４０３は、区域設定を中断するためのボタンである。やめるボタン４０３がタッチされたとき、制御回路２０は、区域設定を中断する。その後、制御回路２０は、画面を、区域設定画面Ｄ３１の直前に表示されていた画面に遷移させる。地域選択ボタン４０４は、選択中の地域を変更するためのボタンである。地域選択ボタン４０４がタッチされたとき、制御回路２０は、ユーザの操作に応じて選択中の地域を変更する。制御回路２０は、地域の変更に合わせて区域設定画面Ｄ３１の表示を更新する。チラシ設定ボタン４０５及び各段調整ボタン４０６は、カウンタ画面Ｄ２１におけるチラシ設定ボタン３０４及び各段調整ボタン３０５と同様である。チラシ設定ボタン４０５又は各段調整ボタン４０６がタッチされたとき、制御回路２０は、画面を、タッチされたボタンに対応する画面に遷移させる。完了ボタン４０７は、区域設定を完了させるためのボタンである。完了ボタン４０７がタッチされたとき、制御回路２０は、現在の区域設定をメモリ３０に保存する。その後、制御回路２０は、画面を、区域設定画面Ｄ３１の直前に表示されていた画面に遷移させる。
【００５９】
ここで、図８の説明に戻る。ステップＳ１０３において、制御回路２０は、チラシ設定を行うか否かを判定する。例えば、カウンタ画面Ｄ２１においてチラシ設定ボタン３０４がタッチされたときにチラシ設定を行うと判定される。ステップＳ１０３において、チラシ設定を行うと判定されたときに、処理はステップＳ１０４に移行する。ステップＳ１０３において、チラシ設定を行わないと判定されたときに、処理はステップＳ１０５に移行する。
【００６０】
ステップＳ１０４において、制御回路２０は、表示素子１ｂにチラシ設定画面Ｄ３２を表示させる。その後、処理はステップＳ１０６に移行する。前述したように、チラシ設定画面Ｄ３２では、ユーザは、折込チラシに関する各種の情報を設定することができる。チラシ設定画面Ｄ３２で設定された内容は、例えばメモリ３０に保存される。制御回路２０は、必要なタイミングでメモリ３０からチラシ設定を読み出す。
【００６１】
図１０は、チラシ設定画面の例を示す図である。チラシ設定画面Ｄ３２には、チラシ情報を表示するためのチラシ情報表示部５０１が設けられている。チラシ情報は、メモリ３０に保存されている折込チラシに関する設定を示す情報である。チラシ情報表示部５０１には、それぞれの折込チラシの名称及びそれぞれの折込チラシ毎の各種のチラシ設定が表示される。なお、図１０は、３種類のチラシ設定が表示される例であるが、表示されるチラシ設定の数は３種類に限るものではない。
【００６２】
また、チラシ設定画面Ｄ３２には、やめるボタン５０２、チラシ選択ボタン５０３、チラシ編集ボタン５０４、各段調整ボタン５０５、及び完了ボタン５０６が設けられている。やめるボタン５０２は、チラシ設定を中断するためのボタンである。やめるボタン５０２がタッチされたとき、制御回路２０は、チラシ設定を中断する。その後、制御回路２０は、画面を、チラシ設定画面Ｄ３２の直前に表示されていた画面に遷移させる。チラシ選択ボタン５０３は、選択中の折込チラシを変更するためのボタンである。チラシ選択ボタン５０３がタッチされたとき、制御回路２０は、ユーザの操作に応じて選択中の折込チラシを変更する。チラシ編集ボタン５０４は、選択中の折込チラシの詳細な設定の編集をするためのボタンである。チラシ編集ボタン５０４がタッチされたとき、制御回路２０は、選択中の折込チラシに対応したチラシ設定編集画面Ｄ３２１を表示させる。各段調整ボタン５０５は、カウンタ画面Ｄ２１における各段調整ボタン３０５及び区域設定画面Ｄ３１における各段調整ボタン４０６と同様である。各段調整ボタン５０５がタッチされたとき、制御回路２０は、画面を、各段調整画面Ｄ３３に遷移させる。完了ボタン５０６は、チラシ設定を完了させるためのボタンである。完了ボタン５０６がタッチされたとき、制御回路２０は、現在のチラシ設定をメモリ３０に保存する。その後、制御回路２０は、画面を、チラシ設定画面Ｄ３２の直前に表示されていた画面に遷移させる。
【００６３】
図１１は、チラシ設定編集画面の例を示す図である。チラシ設定編集画面Ｄ３２１には、チラシ名表示部６０１が設けられている。チラシ名表示部６０１は、現在の選択中の折込チラシに設定されているチラシ名を表示する部分である。チラシ設定編集画面Ｄ３２１において表示されているチラシ名は、ユーザ操作に応じて変更され得る。
【００６４】
また、チラシ設定編集画面Ｄ３２１には、チラシ設定画面Ｄ３２に表示される各種のチラシ設定を変更するための、チラシ設定ボタン６０２、６０３、６０４が設けられている。チラシ設定ボタン６０２は、チラシ設定１の変更のためのボタンである。チラシ設定ボタン６０３は、チラシ設定２の変更のためのボタンである。チラシ設定ボタン６０４は、チラシ設定３の変更のためのボタンである。チラシ設定ボタン６０２、６０３、６０４には、それぞれのチラシ設定として設定されているパラメータの現在の状態が表示される。チラシ設定ボタン６０２、６０３、６０４の何れかがタッチされたとき、制御回路２０は、タッチされたチラシ設定として設定されているパラメータを変更する。このパラメータの変更は、設定のためのダイアログの中で行われてもよい。この場合、制御回路２０は、チラシ設定ボタン６０２、６０３、６０４の何れかがタッチされたときに、タッチされたダイアログを表示させる。そして、制御回路２０は、ダイアログ中のユーザの操作に従ってパラメータを変更する。
【００６５】
また、チラシ設定編集画面Ｄ３２１には、やめるボタン６０５、設定クリアボタン６０６、完了ボタン６０７が設けられている。やめるボタン６０５は、チラシ設定編集を中断するためのボタンである。やめるボタン６０５がタッチされたとき、制御回路２０は、チラシ設定編集を中断する。この場合、制御回路２０は、チラシ設定編集画面Ｄ３２１においてされた設定をメモリ３０に保存せずに、画面を、チラシ設定画面Ｄ３２に遷移させる。設定クリアボタン６０６は、チラシ設定編集画面Ｄ３２１における設定のクリアのためのボタンである。設定クリアボタン６０６がタッチされたとき、制御回路２０は、チラシ設定編集画面Ｄ３２１においてされたパラメータの全てを初期値にクリアする。完了ボタン６０７は、チラシ設定編集を完了させるためのボタンである。完了ボタン６０７がタッチされたとき、制御回路２０は、チラシ設定編集画面Ｄ３２１でされた設定をメモリ３０に保存する。その後、制御回路２０は、画面を、チラシ設定画面Ｄ３２に遷移させる。
【００６６】
ここで、図８の説明に戻る。ステップＳ１０５において、制御回路２０は、各段調整画面Ｄ３３を表示素子１ｂに表示させる。その後、処理はステップＳ１０６に移行する。
【００６７】
図１２は、各段調整画面の例を示す図である。各段調整画面Ｄ３３には、給紙棚情報を表示するための給紙棚情報表示部７０１が設けられている。給紙棚情報表示部７０１には、それぞれの給紙棚の段数及びそれぞれの段の給紙棚の各種の段設定が表示される。なお、図１２は、３種類の段設定が表示される例であるが、表示される段設定の数は３種類に限るものではない。給紙棚情報表示部７０１の何れかの段の箇所がタッチされたとき、制御回路２０は、各段調整編集画面Ｄ３３１を表示させる。各段調整編集画面Ｄ３３１については後で説明する。
【００６８】
また、各段調整画面Ｄ３３には、やめるボタン７０２及び完了ボタン７０３が設けられている。やめるボタン７０２は、各段調整を中断するためのボタンである。やめるボタン７０２がタッチされたとき、制御回路２０は、各段調整を中断する。この場合、制御回路２０は、画面を、各段調整画面Ｄ３３の直前に表示されていた画面に遷移させる。完了ボタン７０３は、各段調整を完了させるためのボタンである。完了ボタン７０３がタッチされたとき、制御回路２０は、現在の各段調整画面Ｄ３３でされた設定をメモリ３０に保存する。その後、制御回路２０は、画面を、各段調整画面Ｄ３３の直前に表示されていた画面に遷移させる。
【００６９】
図１３は、各段調整編集画面の例を示す図である。各段調整編集画面Ｄ３３１は、給紙棚毎の個別の設定に加えて、前述したチラシ設定画面Ｄ３２及びチラシ設定編集画面Ｄ３２１等で行うことができた設定と同等の設定をそれぞれの給紙棚毎に行うことができる画面である。図１３に示すように、各段調整編集画面Ｄ３３１には、段数表示部８０１と、チラシ名表示部８０２とが設けられている。段数表示部８０１は、現在選択中の給紙棚の段数を表示する部分である。チラシ名表示部８０２は、現在の選択中の給紙棚と対応付けられている折込チラシに設定されているチラシ名を表示する部分である。
【００７０】
また、各段調整編集画面Ｄ３３１には、チラシ設定ボタン８０３、８０４、８０５が設けられている。チラシ設定ボタン８０３、８０４、８０５は、チラシ設定編集画面Ｄ３２１のチラシ設定ボタン６０２、６０３、６０４と同等のボタンである。つまり、チラシ設定ボタン８０３、８０４、８０５の何れかがタッチされたとき、制御回路２０は、選択中の段の給紙棚に関連付けられている、タッチされたボタンと対応するチラシ設定に関するパラメータを変更する。このパラメータの変更は、設定のためのダイアログを表示させることで行われてもよい。なお、各段調整編集画面Ｄ３３１において、選択中の給紙棚に関連付けられているチラシ設定が変更されたとしても、他の給紙棚に関連付けられている折込チラシのチラシ設定に関するパラメータは変更されなくてもよい。
【００７１】
また、各段調整編集画面Ｄ３３１には、詳細設定ボタン８０６及び８０７が設けられている。詳細設定ボタン８０６及び８０７は、他の設定画面においては設定され得ない給紙棚に関する設定のためのボタンである。詳細設定ボタン８０６又は８０７がタッチされたとき、制御回路２０は、タッチされたボタンに対応したパラメータを変更する。このパラメータの変更は、設定のためのダイアログの中で行われてもよい。なお、詳細設定ボタン８０６又は８０７のタッチにより設定されるパラメータは、他の給紙棚には反映されない。
【００７２】
また、各段調整編集画面Ｄ３３１には、やめるボタン８０８、チラシ選択ボタン８０９、設定クリアボタン８１０、及び完了ボタン８１１が設けられている。やめるボタン８０８は、各段調整編集を中断するためのボタンである。やめるボタン８０８がタッチされたとき、制御回路２０は、各段調整編集を中断する。その後、制御回路２０は、画面を、各段調整画面Ｄ３３に遷移させる。チラシ選択ボタン８０９は、選択中の段の給紙棚と関連付ける折込チラシを変更するためのボタンである。チラシ選択ボタン８０９がタッチされたとき、制御回路２０は、ユーザの操作に応じて給紙棚と関連付ける折込チラシを変更する。この後、制御回路２０は、変更された折込チラシに対応したチラシ情報をメモリ３０から読み出して各段調整編集画面Ｄ３３１の表示内容を更新する。設定クリアボタン８１０は、各段調整編集画面Ｄ３３１における設定のクリアのためのボタンである。設定クリアボタン８１０がタッチされたとき、制御回路２０は、各段調整編集画面Ｄ３３１においてされた設定の全てを初期値にクリアする。完了ボタン８１１は、各段調整編集を完了させるためのボタンである。完了ボタン８１１がタッチされたとき、制御回路２０は、各段調整編集画面Ｄ３３１でされた設定をメモリ３０に保存する。その後、制御回路２０は、画面を、各段調整画面Ｄ３３に遷移させる。
【００７３】
ここで、図８の説明に戻る。ステップＳ１０６において、制御回路２０は、区域設定画面Ｄ３１、チラシ設定画面Ｄ３２、及び各段調整画面Ｄ３３におけるボタン等がタッチされたか否かを判定する。ステップＳ１０６において、ボタン等のタッチ箇所がタッチされていないと判定されたときには、図８の処理は終了する。ステップＳ１０６において、ボタン等のタッチ箇所がタッチされたと判定されたときには、処理はステップＳ１０７に移行する。
【００７４】
ステップＳ１０７において、制御回路２０は、タッチの結果、画面を遷移するか否かを判定する。ステップＳ１０７において、画面を遷移すると判定されたときには、図８の処理は終了する。ステップＳ１０７において、画面を遷移しないと判定されたときには、処理はステップＳ１０８に移行する。
【００７５】
ステップＳ１０８において、制御回路２０は、設定系画面Ｄ３の中でユーザによってタッチされたボタン等に応じた処理を行う。処理の後、図８の処理は終了する。
【００７６】
以上説明したように本実施形態によれば、給紙棚の各段の詳細な調整のための各段調整編集画面に、チラシ設定画面及びチラシ設定編集画面等の各種の設定を個別にするための設定画面と同等の表示部及びボタンが設けられている。これにより、ユーザは、各段の機能設定の際に複数の画面を遷移する必要がない。したがって、各段の機能設定が容易になる。
【００７７】
また、各設定画面では、ダイアログを用いての設定が行われ得る。ダイアログを用いて設定が行われることにより、設定のための専用の画面の数を減らすことができる。
【００７８】
以上実施形態に基づいて本発明を説明したが、本発明は上述した実施形態に限定されるものではなく、本発明の要旨の範囲内で種々の変形や応用が可能なことは勿論である。例えば、前述した実施形態では、インターフェイス装置としての操作パネル１ａは、丁合機１００と一体で設けられている。これに対し、操作パネル１ａは、丁合機１００とは別体で設けられていてもよい。例えば、操作パネル１ａと同様の機能をスマートホン及びタブレットＰＣといった機器に実装しておき、これらの機器からの遠隔操作で丁合機１００が制御されるように構成されていてもよい。
【００７９】
また、前述した各画面の表示内容は、一例であって適宜に変更され得る。例えば、各画面から一部の表示が省略されてもよいし、各画面において追加の表示がされてもよい。例えば、各段調整編集画面Ｄ３３１に、区域設定画面と同等の表示部及びボタンが設けられてもよい。
【００８０】
また、前述した実施形態では、各段調整画面Ｄ３３における給紙棚情報表示部７０１のタッチによって画面が各段調整編集画面Ｄ３３１に遷移するがこれに限るものではない。例えばカウンタ画面Ｄ２１の給紙棚情報表示部３０１のタッチにより、各段調整画面Ｄ３３を経ることなく画面が各段調整編集画面Ｄ３３１に遷移してもよい。
【００８１】
また、上述した実施形態による各処理は、コンピュータである制御回路２０に実行させることができる制御プログラムとして記憶させておくこともできる。この他、磁気ディスク、光ディスク、半導体メモリ等の外部記憶装置の記憶媒体に格納して配布することができる。そして、制御回路２０は、この外部記憶装置の記憶媒体に記憶された制御プログラムを読み込み、この読み込んだ制御プログラムによって動作が制御されることにより、上述した処理を実行することができる。
【００８２】
本発明は、前記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００８３】
１００  丁合機、１ａ  操作パネル、１０  丁合機構、２０  制御回路、３０  メモリ、４０  操作スイッチ。
【図１】
2020019656.tif 000003
【図２】
2020019656.tif 000004
【図３】
2020019656.tif 000005
【図４】
2020019656.tif 000006
【図５】
2020019656.tif 000007
【図６】
2020019656.tif 000008
【図７】
2020019656.tif 000009
【図８】
2020019656.tif 000010
【図９】
2020019656.tif 000011
【図１０】
2020019656.tif 000012
【図１１】
2020019656.tif 000013
【図１２】
2020019656.tif 000014
【図１３】
2020019656.tif 000015